(57)【要約】【課題】オーブン電子レンジのオーブンを長時間使用した場合など、ドアの表面温度が高くなることがある。温度が高くなったドアの表面に触ることによる火傷の恐れがあるのでドアの表面温度が高くなる場合に、ドアの表面に触ることによる火傷に注意が必要であった。【解決手段】加熱装置のドアに、防熱のドアのカバーを取り付けることにより使用時に温度が高くなったドア表面に直説触れないようにすることにより、温度が高くなったドアの表面に触ることによる火傷を防止するこの時、オーブン電子レンジのドアに取り付ける防熱のドアカバーに容易に取り付けることができる機構を設け、カバー本体は透明にして加熱室ないを見ることができまた、ドアの意匠を妨げない構造とする。【選択図】図１
2010112637.tif 000002
【特許請求の範囲】
【請求項１】
加熱室と、前記加熱室内の被加熱物を加熱する加熱手段と、前記加熱室を開閉するドア  と、前記加熱手段を制御する制御部と、前記加熱手段の駆動を制御する操作部とを備える加熱装置において、容易に指が触ることができない構造で前記のドアの温度が高くなる場合にドアに取り付けができる加熱装置のドア用保護カバー。
【請求項２】
ドアの表面との間に空気が通る隙間を有し、前記ドアの保護カバーの表面温度がドアの表面温度より低くすることができる構造を有する、請求項１に記載の加熱装置のドア用保護カバー。
【請求項３】
保護カバー前面の素材を透明な材質のとし加熱室内を見易く、加熱室及びドアの意匠を妨げない請求項１に記載の加熱装置のドア用保護カバー。
【請求項４】
前面のみ、取り外して洗うことができる構造を有する請求項１に記載の加熱装置のドア用保護カバー。
【発明の詳細な説明】
【技術分野】
【０００１】
本発明はヒータやマイクロ波等によって被加熱物を加熱する加熱装置に関し、ドアの温度が高くなることに対する加熱装置のドア用保護カバーに関するものである。
【背景技術】
【０００２】
一般にヒータやマイクロ波等によって被加熱物を加熱する加熱装置、例えば高周波加熱装置は装置本体の表面に加熱手段等の操作部が設けてある（例えば、特許文献１参照）。
【０００３】
図４は上記従来の高周波加熱装置を示し、装置本体２の前面に加熱室３をドアハンドル４ａにて開閉するドア４とともに加熱手段（図示せず）を操作する操作部６が設けてあり、この操作部６を操作して各種の加熱調理を行うようになっていた。
【特許文献１】特開平１０−１３２２８５号公報
【発明の開示】
【発明が解決しようとする課題】
【０００４】
従来の加熱装置ではその使用中に、使用方法によってはドア表面の温度が高くなる場合がありドア表面に触れることで火傷の恐れがあるので、ドア表面の温度が高くなる使用方法の場合だけに、ドアの温度が高くなったドアに触ることに対して注意が必要であっが、本発明はこのような課題を解決するものである。
【０００５】
本発明はこのような課題を解決したもので、加熱装置のドアに熱に対する保護カバーを取り付けることで、ドア表面に触れることによる火傷などを防ぐ加熱装置に対するドアの保護カバーの提供を目的としたものである。
【課題を解決するための手段】
【０００６】
前記従来の課題を解決するために、本発明は加熱装置のドアに熱に対するドアの保護カバーを取り付けることで、温度が高くなったドアの表面に直接触れることができないの  で、ドアの表面に触れることによる火傷などを防止する。
【０００７】
またドアの保護カバーとドア表面と間に空気が通る隙間を設け、前記ドアの保護カバーの表面温度が前記ドアの表面温度より低くすることができる構造を設けることにより、ドアの保護カバーの表面温度はドアの表面温度より低くできるため、ドア表面の温度が高くなる場合でも火傷を防ぐことができる。
【０００８】
保護カバーの前面は透明な素材のもので構成して、加熱室内を見ることができるまた、熱装置全体の意匠を制約することがない。
【０００９】
保護カバーの前面は取り付けの為の金具にネジ止めし、汚れた場合などにカバーの前面のみ取り外して洗うことができる。
【発明の効果】
【００１０】
本発明は、加熱装置のドア表面が高くなり火傷の恐れが生じる場合でも、ドアに熱に対する保護カバーを取り付けることで、火傷などを防ぐことができる。
【発明を実施するための最良の形態】
【００１１】
第１の発明は、加熱装置のドアが熱くなり火傷の恐れが生じる場合などの必要な場合だけに、本発明の取り外しが可能でドアに熱に対する保護カバーを取り付けることで、火傷
などを防ぐことができる。
【００１２】
第２の発明は、保護カバーには保護カバーとドアの表面との間に空気が通る隙間を設  け、保護カバーの表面温度がドアの表面温度より低くすることができる構造を設ける。
【００１３】
第３の発明は、保護カバーの前面を透明な素材として加熱室内を見ることができ、かつ加熱装置の意匠やデザインに妨げない。
【００１４】
第４の発明は、保護カバーの前面のみ取り外すことができる構造を有し、汚れが付着した場合に洗うことができる構造とする。
【００１５】
以下、本発明の実施の形態を、図面を参照しながら説明する。なお、この実施の形態によって本発明が限定されるものではない。
【００１６】
図１は、本発明の実施の形態における保護カバーをビルトイン型オーブン電子レンジ１に取り付けたものを示す正面図で、６は操作部、５はドアハンドル、７ａは保護カバーの前面カバー、７ｂは保護カバーの上金具、７ｃは保護カバーの下金具、７ｄは保護カバーの取り付け金具右、７ｅは保護カバーの取り付け金具左、７ｆは取り付けネジである。
【００１７】
保護カバーの上金具７ｂは、保護カバーの取り付け金具右７ｄ、および、保護カバーの取り付け金具左７ｅを介して、ハンドル５に取り付ける。保護カバーの下金具７ｃはドアへ表面に両面テープで接着する。上記のように取り付けた保護カバーの上金具７ｂおよび保護カバーの下金具７ｃに保護カバーの前面カバー７ａを取り付けネジ７ｆによって保持させて取り付ける。
【００１８】
図２は、図１を右から見た側面図で、１はビルトイン型オーブン電子レンジ、４はドア、５はドアハンドル、７ａは保護カバーの前面カバー、６は操作部であり、ビルトイン型オーブン電子レンジに保護カバーが取り付けてある。
【００１９】
図３（ａ）及び図３（ｂ）は保護カバーの取り付け部の拡大図で、ドアハンドル５を断面図で示している。７ｂは保護カバーの上金具、７ｄは保護カバーの取り付け金具右で、図３（ａ）は保護カバーの取り付け金具右７ｄをドアハンドル５に引っ掛けて取り付けた状態を示し、図３（ｂ）は保護カバーの取り付け金具右７ｄをドアハンドル５に引っ掛けず、取り外した状態を示している。図３（ｂ）の状態から図３（ａ）の状態にして取り付ける。
【産業上の利用可能性】
【００２０】
以上のように、本発明にかかる加熱装置のドア用保護カバーは、加熱装置のドア表面が高くなり火傷の恐れが生じる場合でも、ドアに熱に対する保護カバーを取り付けることで、火傷などを防ぐことができ、オーブン電子レンジ、電気オーブン、特に業務用の各種オーブンに適用できる。
【図面の簡単な説明】
【００２１】
【図１】本発明の実施の形態にかかるビルトイン型オーブンレンジの正面図
【図２】本発明の実施の形態にかかるビルトイン型オーブンレンジの側面図
【図３】（ａ）保護カバーの取り付け部の拡大図（取り付け金具を取り付けた状態）、（ｂ）保護カバーの取り付け部の拡大図（取り付け金具が外れた状態）
【図４】従来の高周波加熱装置の断面図
【符号の説明】
【００２２】
１  オーブン電子レンジ
２  加熱装置
３  加熱室
４  ドア
５  ドアハンドル
６  操作部
７ａ  保護カバーの前面カバー
７ｂ  保護カバーの上金具
７ｃ  保護カバーの下金具
７ｄ  保護カバーの取り付け金具右
７ｅ  保護カバーの取り付け金具左
７ｆ  取り付けネジ
２２  排気ファン
２３  排気ガイド
２４  排気口
【図１】
2010112637.tif 000003
【図２】
2010112637.tif 000004
【図３】
2010112637.tif 000005
【図４】
2010112637.tif 000006